(57)【要約】ＬＥＤ回路は、マトリクスにおいて配置されるＬＥＤの配列を有する。マトリクスは、少なくとも３つの電力レール線へ接続される。ＬＥＤは、第１の電力レール線（３０）と第２の電力レール線（３２）との間の第１のＬＥＤ配置（３４）、及び第１の電力レール線と同じ電圧の第３の電力レール線（３０）と第２の電力レール線（３２）との間の第２のＬＥＤ配置（３６）として形成される。これは、ＬＥＤのマトリクスが組み入れられている交互の電力レール線が存在することを意味する。これは、駆動電圧が低く保たれることを可能にし、それは、設計のスケーラビリティを改善する。
2014529865.tif 000002
【特許請求の範囲】
【請求項１】
マトリクスにおいて配置されるＬＥＤ又はＬＥＤパッケージの配列を有し、
夫々のＬＥＤ又はＬＥＤパッケージは、配線を接続することで前記マトリクス内で接続され、前記マトリクスは、当該マトリクスの領域にわたって分布する少なくとも３つの電力レール線へ接続される電圧レールへ接続され、
前記ＬＥＤ又はＬＥＤパッケージは、
第１の電力レール線と第２の隣接する電力レール線との間の第１のＬＥＤ配置、及び
前記第１の電力レール線と同じ電圧の第３の電力レール線と前記第２の電力レール線との間の第２のＬＥＤ配置
として形成され、
前記第３の電力レール線は前記第２の電力レール線に隣接し、前記第１の電力レール線に対して前記第２の電力レール線の反対の側にある、
ＬＥＤ回路。
【請求項２】
前記第１及び第２のＬＥＤ配置は、それらのアノードが高電圧電力レール線へ接続され、それらのカソードが低電圧電力レール線へ接続される、
請求項１に記載のＬＥＤ回路。
【請求項３】
Ｎ個の複数の電力レール線と、該電力レール線の隣接する対の間に夫々あるＮ−１個の複数のＬＥＤ配置とを有し、
前記電力レール線の隣接する対は、１つの高電圧電力レール線と、１つの低電圧電力レール線とを有する、
請求項１に記載のＬＥＤ回路。
【請求項４】
前記第１のＬＥＤ配置は、前記第１の電力レール線と前記第２の電力レール線との間に第１のＬＥＤバンクを有し、該第１のＬＥＤバンクは、並列に１又はそれ以上のＬＥＤを有し、
前記第２のＬＥＤ配置は、前記第２の電力レール線と前記第３の電力レール線との間に第２のＬＥＤバンクを有し、該第２のＬＥＤバンクは、並列に１又はそれ以上のＬＥＤを有する、
請求項１に記載のＬＥＤ回路。
【請求項５】
前記第１のＬＥＤ配置は、前記第１の電力レール線と前記第２の電力レール線との間に第１の複数のＬＥＤバンクを有し、該第１の複数のＬＥＤバンクの夫々は、並列に１又はそれ以上のＬＥＤを有し、
前記第２のＬＥＤ配置は、前記第２の電力レール線と前記第３の電力レール線との間に第２の複数のＬＥＤバンクを有し、該第２の複数のＬＥＤバンクの夫々は、並列に１又はそれ以上のＬＥＤを有する、
請求項４に記載のＬＥＤ回路。
【請求項６】
夫々のＬＥＤバンクは、並列に２又はそれ以上のＬＥＤを有する、
請求項５に記載のＬＥＤ回路。
【請求項７】
前記第１、第２及び第３の電力レール線の夫々は、高電圧線及び低電圧線の一方へ接続される、
請求項１に記載のＬＥＤ回路。
【請求項８】
電力レール線の夫々の隣接する対の間に設けられるスイッチング配置
を更に有する請求項１に記載のＬＥＤ回路。
【請求項９】
前記マトリクスへ接続される第１及び第２の電圧線を有する電源を更に有し、
前記第１及び第２の電圧線の１つは、前記第１、第２及び第３の電力レール線の夫々へ接続される、
請求項１に記載のＬＥＤ回路。
【請求項１０】
前記第１、第２及び第３の電力レール線の夫々は、高電圧電力レール線又は低電圧電力レール線のいずれかを有し、
別個の電圧源が、前記高電圧電力レール線の夫々へ接続され、及び／又は別個の電圧源が、前記低電圧電力レール線の夫々へ接続される、
請求項１に記載のＬＥＤ回路。
【請求項１１】
前記別個の電源の夫々は、個々に制御可能な出力電流を有する、
請求項１０に記載のＬＥＤ回路。
【請求項１２】
夫々の電力レール線は、電源への接続のために前記マトリクスの外に延在する、
請求項１に記載のＬＥＤ回路。
【請求項１３】
前記第１のＬＥＤ配置のＬＥＤは、前記第２のＬＥＤ配置のＬＥＤと異なる出力色を有する、
請求項１に記載のＬＥＤ回路。
【請求項１４】
マトリクスにおいてＬＥＤ又はＬＥＤパッケージを接続し、夫々のＬＥＤ又はＬＥＤパッケージが、配線を接続することで前記マトリクス内で接続され、前記マトリクスが、当該マトリクスの領域にわたって分布する少なくとも３つの電力レール線へ接続される電圧レールへ接続されるようにするステップと、
前記少なくとも３つの電力レール線を制御して、第１の電力レール線と第２の隣接する電力レール線との間の第１のＬＥＤ配置を駆動し、前記第１の電力レール線と同じ電圧の第３の電力レール線と前記第２の電力レール線との間の第２のＬＥＤ配置を駆動するステップと
を有し、前記第３の電力レール線は前記第２の電力レール線に隣接し、前記第１の電力レール線に対して前記第２の電力レール線の反対の側にある、
ＬＥＤ回路の駆動方法。
【発明の詳細な説明】
【技術分野】
【０００１】
本発明は、大面積マトリクスにおけるＬＥＤの分布及び接続のための低費用且つ効率的なトポロジに関する。大面積マトリクスは、領域にわたって広げられたＬＥＤの配列、例えば、少なくとも数十個、より一般的には数百又は数千のＬＥＤの配列、を意味する。
【背景技術】
【０００２】
ＬＥＤ照明用途は、大面積マトリクスにおいて多数の低電力、中電力、又は高電力のＬＥＤを結合することによって、為される。このマトリクスは、並列及び直列な構成における多数のＬＥＤから成る。高価なＰＣＢではなく配線によってＬＥＤどうしが接続されて給電されるようにＬＥＤマトリクスを形成することが知られる。
【０００３】
図１は、ＬＥＤの配列が格子状に配線によって接続される既知の配置を示す。単一の高電圧レール１０及び単一の低電力レール１２が電力をＬＥＤ１４へ供給する。ＬＥＤは、行及び列における規則的なマトリクスにおいて配置される。ＬＥＤの列は、それらのアノードどうし及びカソードどうしが列線により接続されている。よって、夫々の列は、並列なＬＥＤの組を有する。電圧レールの間には直列に一連のそれらの列が存在する。
【０００４】
等価回路図が図２に示されている。ＬＥＤ１４は、列２０の直列接続として配置される。夫々の列２０は、並列なＬＥＤ１４の組を有する。夫々のＬＥＤ１４は、直列又は並列に複数のＬＥＤを含むパッケージをそれ自体が有することができる点に留意されたい。
【０００５】
Ｎ個の列２０が存在する場合に、電圧レール１０，１２の間の電圧は、ＬＥＤの順方向バイアス電圧降下（例えば、３ボルト）のＮ倍である必要がある。電源によって供給される電流は、ＬＥＤの総数の関数である。
【０００６】
設計は拡大縮小可能であり、列の長さを短くすることでサイズを小さくされ得る。図１に示されるメッシュ配置は、全てのＬＥＤが、配線が重なり合うことなく且つ各電圧レールへ単一の接続を有して、回路に接続されることを可能にする。
【発明の概要】
【発明が解決しようとする課題】
【０００７】
本発明は、多数のＬＥＤが直列に接続される場合に高電圧が必要とされるという問題に対処する。Ｎの値が大きい場合に、必要とされる電圧は危険になることがあり、あるいは、高価な高電圧絶縁手段を必要とすることがある。更に、駆動電圧が本線電圧を超えることがある。
【０００８】
設計の拡大縮小のために、ＬＥＤの追加の行が加えられ得る（それにより、夫々の列２０は、より多くの並列なＬＥＤを有する。）。（Ｎ個のダイオードの）追加の行ごとに、必要とされる定電流を供給するために、専用の電源が使用されるべきである。必要とされる電流は、メッシュにおけるＬＥＤの数に依存する。
【０００９】
よって、図１の設計は拡大縮小可能であるが、異なる拡大縮小は異なる電源を必要とし、これは設計の拡大縮小を複雑にする。
【課題を解決するための手段】
【００１０】
本発明に従って、独立請求項において定義される回路及び方法が提供される。
【００１１】
本発明の一態様に従って、
マトリクスにおいて配置されるＬＥＤ又はＬＥＤパッケージの配列を有し、
夫々のＬＥＤ又はＬＥＤパッケージは、配線を接続することで前記マトリクス内で接続され、前記マトリクスは、当該マトリクスの領域にわたって分布する少なくとも３つの電力レール線へ接続される電圧レールへ接続され、
前記ＬＥＤ又はＬＥＤパッケージは、
第１の電力レール線と第２の隣接する電力レール線との間の第１のＬＥＤ配置、及び
前記第１の電力レール線と同じ電圧の第３の電力レール線と前記第２の電力レール線との間の第２のＬＥＤ配置
として形成され、
前記第３の電力レール線は前記第２の電力レール線に隣接し、前記第１の電力レール線に対して前記第２の電力レール線の反対の側にある、
ＬＥＤ回路が提供される。
【００１２】
この設計において、ＬＥＤは、電圧レールの単一の対の間に全てではなく、電力レール線の一連の対の間に分割して配置される。このようにして、駆動電圧は低く保たれ、最適な値（例えば、エネルギ消費、費用、及び安全性の観点から最適な値）へ合わせられ得る。前記第１及び第２のＬＥＤ配置は、それらのアノードが高電圧電力レール線へ接続され、それらのカソードが低電圧電力レール線へ接続され、それにより、分割された異なるＬＥＤの組は、逆の極性を有して配置される。異なる極性方向を有して分割してＬＥＤを配置することによって、低い（すなわち、安全な）電圧でＬＥＤを駆動することが可能であるだけでなく、電源のためのモジュール的アプローチも可能である。ＬＥＤのマトリクスは、任意の寸法を有することができる。それはまた、マトリクスの複数のＬＥＤ配置が、望まれる場合に個々にアドレッシングされることを可能にする。ＬＥＤ配置は、行又は列方向にあることができ、それにより、行ごと又は列ごとのアドレッシングが可能にされる。
【００１３】
Ｎ個の複数の電力レール線と、該電力レール線の隣接する対の間に夫々あるＮ−１個の複数のＬＥＤ配置とが存在してよく、前記電力レール線の隣接する対は、１つの高電圧電力レール線と、１つの低電圧電力レール線とを有する。このようにして、設計は二次元において拡大縮小可能である。電力レール線は第１の方向（例えば、行方向）において互い違いにされ、設計は、電力レール線の数に基づき、電力レール線の電圧を変えることなく拡大縮小され得る。
【００１４】
設計はまた、いくつのＬＥＤが夫々の配置にあるのかを変えることによって、直交する方向においても拡大縮小され得る。
【００１５】
例えば、前記第１のＬＥＤ配置は、前記第１の電力レール線と前記第２の電力レール線との間に第１のＬＥＤバンクを有し、該第１のＬＥＤバンクは、並列に１又はそれ以上のＬＥＤを有し、前記第２のＬＥＤ配置は、前記第２の電力レール線と前記第３の電力レール線との間に第２のＬＥＤバンクを有し、該第２のＬＥＤバンクは、並列に１又はそれ以上のＬＥＤを有する。
【００１６】
夫々のバンクにおける並列なＬＥＤの数は、固定数の電力レール線に関し拡大縮小を決定づけるために使用され得る。
【００１７】
前記第１のＬＥＤ配置は、前記第１の電力レール線と前記第２の電力レール線との間に第１の複数のＬＥＤバンクを有し、該第１の複数のＬＥＤバンクの夫々は、並列に１又はそれ以上のＬＥＤを有し、前記第２のＬＥＤ配置は、前記第２の電力レール線と前記第３の電力レール線との間に第２の複数のＬＥＤバンクを有し、該第２の複数のＬＥＤバンクの夫々は、並列に１又はそれ以上のＬＥＤを有する。
【００１８】
電力レール線の対の間の直列なバンクの数は、必要とされる電圧を決定づける。よって、必要とされる電圧範囲と電力レール線の数との間には妥協が見出され得る。
【００１９】
前記第１、第２及び第３の電力レール線の夫々は、高電圧線及び低電圧線の一方へ接続される。更に、全ての高電圧電力レール線どうしが接続されてよく、全ての低電圧電力レール線どうしが接続されてよい。これは、ただ１つの外部の高電圧線接続しか必要とされず、ただ１つの外部の低電圧線接続しか必要とされないことを意味する。
【００２０】
電力レール線の夫々の隣接する対の間には、スイッチング配置が設けられ得る。これは、電力レール線の特定の対の間で結合されるＬＥＤが減光又はオフされ得るように、短絡機能が実施されることを可能にする。これは、異なるＬＥＤが異なる色出力を有する場合に、全体的な出力輝度又は出力色を制御するために使用され得る。例えば、前記第１のＬＥＤ配置のＬＥＤは、前記第２のＬＥＤ配置のＬＥＤと異なる出力色を有することができる。
【００２１】
当該ＬＥＤ回路は、前記マトリクスへ接続される第１及び第２の電圧線を有する電源を更に有することができ、前記第１及び第２の電圧線の１つは、前記第１、第２及び第３の電力レール線の夫々へ接続される。よって、前記第１、第２及び第３の電力レール線は、原則的に、前記マトリクスにわたって２つの電圧線を分配し、それにより、前記マトリクスは、電圧線の電圧を変えることなく拡大縮小され得る。
【００２２】
別個の電圧源が、前記高電圧電力レール線の夫々へ接続されてよく、及び／又は別個の電圧源が、前記低電圧電力レール線の夫々へ接続されてよい。前記マトリクスが拡大縮小される場合に、電源は、残りの電源を設計し直すことなく、必要とされるように追加／除去され得る。前記別個の電源の夫々は、個々に制御可能な出力電流を有することができ、これは、局所的にＬＥＤをオフする局所減光を実施するために使用され得る。
【００２３】
他の態様において、本発明は、
マトリクスにおいてＬＥＤ又はＬＥＤパッケージを接続し、夫々のＬＥＤ又はＬＥＤパッケージが、配線を接続することで前記マトリクス内で接続され、前記マトリクスが、当該マトリクスの領域にわたって分布する少なくとも３つの電力レール線へ接続される電圧レールへ接続されるようにするステップと、
前記少なくとも３つの電力レール線を制御して、第１の電力レール線と第２の隣接する電力レール線との間の第１のＬＥＤ配置を駆動し、前記第１の電力レール線と同じ電圧の第３の電力レール線と前記第２の電力レール線との間の第２のＬＥＤ配置を駆動するステップと
を有し、前記第３の電力レール線は前記第２の電力レール線に隣接し、前記第１の電力レール線に対して前記第２の電力レール線の反対の側にある、
ＬＥＤ回路の駆動方法を提供する。
【図面の簡単な説明】
【００２４】
【図１】従来のＬＥＤマトリクスを示す。
【図２】図１のＬＥＤマトリクスの等価回路を示す。
【図３】本発明のＬＥＤ回路の第１の例を示す。
【図４】図３のＬＥＤマトリクスの等価回路を示す。
【図５】本発明のＬＥＤ回路の第２の例を示す。
【図６】図５のＬＥＤマトリクスの等価回路を示す。
【発明を実施するための形態】
【００２５】
本発明の例は、添付の図面を参照して詳細に記載される。
【００２６】
本発明は、ＬＥＤの配列がマトリクスにおいて配置されるＬＥＤ回路を提供する。前記マトリクスは、少なくとも３つの電力レール線へ接続される。前記ＬＥＤは、第１の電力レール線と第２の電力レール線との間の第１のＬＥＤ配置、及び前記第１の電力レール線と同じ電圧の第３の電力レール線と前記第２の電力レール線との間の第２のＬＥＤ配置として形成される。これは、ＬＥＤのマトリクスが組み入れられている交互の電力レール線が存在することを意味する。これは、駆動電圧が低く保たれることを可能にし、それは、設計のスケーラビリティを改善する。
【００２７】
本発明に従う第１の実施形態が図３に示されている。
【００２８】
ＬＥＤ回路は、先と同じく、マトリクスにおいて配置されるＬＥＤ１４（又はＬＥＤパッケージ）の配列を有し、夫々のＬＥＤ（又はＬＥＤパッケージ）は、配線を接続することでマトリクス内で接続され、マトリクスは電圧レール１０，１２へ接続される。
【００２９】
電圧レールは、電力を供給するためにＬＥＤ１４のための電力レール線へ接続する。語「電力」レール線は、単純に、全ての電力レール線が接続する（ただ）２つの「電圧」レール１０，１２と区別するために使用される。「電力レール線」は、単純に、電圧が印加されて、接続されているＬＥＤへ電力（すなわち、電流）を供給するために使用される線である。
【００３０】
それらの電力レール線は、２つの電圧レール１０，１２へ接続する少なくとも３つの電力レール線が存在するように、マトリクスにわたって分布する。ＬＥＤのマトリクスが組み入れられている交互の電力レール線が存在する。示される例では、高電圧レール１０へ接続される３つの（高電圧）電力レール線３０と、低電圧レール１２へ接続される３つの（低電圧）電力レール線３２とが存在する。ＬＥＤは、隣接する電力レール線の間の別個のＬＥＤ配置として形成され、隣接する電力レール線は、一方が高電圧電力レール線であり、他方が低電圧電力レール線である。
【００３１】
最低限で、本発明は、３つの電力レール線、例えば、図３において左側にある最初の２つ２つの高電力レール線３０及び最初の低電力レール線３２、を有して実施され得る。この場合に、第１の電力レール線３０と第２の電力レール線３２との間の第１のＬＥＤ配置３４と、第１の電力レール線と同じ電圧の第３の電力レール線３０と第２の電力レール線３２との間の第２のＬＥＤ配置３６としか存在しない。
【００３２】
夫々のＬＥＤ配置は、最低限で、単一のＬＥＤであってよい。それは代わりに、複数のＬＥＤを有することができるＬＥＤパッケージであってよい。それはまた、ＬＥＤ若しくはＬＥＤパッケージの直線、ＬＥＤ若しくはＬＥＤパッケージの並列バンク、又は並列なバンクの直線（図３）であってもよい。
【００３３】
図３は、夫々のＬＥＤ配置が並列な２つのＬＥＤのバンクを有し、直列な３つのそのようなバンクが存在する例を示す。よって、夫々のＬＥＤ配置のＬＥＤは、２×３マトリクスにおいて配置され、２つが並列方向において存在し、３つが直列方向において存在する。
【００３４】
３ボルトのＬＥＤ電圧降下に関し、このアプローチによって、駆動電圧は３×３＝９ボルトに固定される。図１に示されるトポロジを有する通常の構造に関し、これは１５×３＝４５ボルトである。
【００３５】
等価回路が図４に示されている。
【００３６】
この配置は、マトリクスが直交する両方の方向において大きさが拡大縮小されることを可能にする。図３に示される例では、電力レール線は列方向において走り、それらは行後方向において極性が交互にされている。
【００３７】
この場合に、マトリクスは、電力レール線の数を増加又は減少させることによって、行方向において拡大縮小され得る。マトリクスは、ＬＥＤ配置３４，３６の夫々のバンクにおいて並列なＬＥＤの数を増加又は減少することによって、列方向において拡大縮小され得る。
【００３８】
この拡大縮小は、マトリクスが、依然として同じ駆動電圧を保ちながら、望まれる大きさにされることを可能にする。
【００３９】
当然、マトリクスが大きければ大きいほど、駆動電流も大きくなる。しかし、これは、単純に、固定の駆動電圧範囲及び固定の駆動電流範囲を有する駆動供給から開始して、配列全体に給電するために必要とされるだけの数の供給を用いることによって、達成され得る。よって、不変な設計の駆動供給の数は、単純に、電力レール線３０，３２の数と関連づけられ得る。
【００４０】
これは、別個のマトリクスを縫い合わせる必要性を回避するモジュール的アプローチを提供する。これは配列の製造を容易にし、例えば、より高価なバッチプロセスに代えて、連続的なロール・ツー・ロール式の製造プロセスを可能にする。
【００４１】
本発明に従う第２の実施形態が図５に示されている。また、その等価回路が図６に示されている。
【００４２】
マトリクスのレイアウトは、概念上は同じである。しかし、電力レール線３０，３２は行方向において走り、夫々のＬＥＤ配置３４，３６は、３つの並列なＬＥＤのバンクを有する。
【００４３】
マトリクスは、先と同じく、２つの方向において拡大縮小可能である。行方向の拡大縮小は、夫々の並列なバンクにおけるＬＥＤの数の変更を伴い、一方、列方向の拡大縮小は、電力レール線の数の変更を伴う。
【００４４】
図５及び図６は、行方向において電力レール線を通すことによって、行ごとのスイッチング又は行の減光を可能にすることができる。当然、９０度の回転により、列ごとの制御可能である。
【００４５】
図５及び図６に示されるレイアウトでは、ＬＥＤの各行は個々にアドレッシングされ得る。これは、電力レール線の隣接する対の間に、トランジスタのようなスイッチ５０を用いることによって、可能にされる。これは、特定の行に寄与する電源を完全に又は部分的に短絡するために使用され得る。その場合に、低電流源が、短絡したトランジスタに電流を流す。代替的に、スイッチは、各電源と直列に配置され得る。このオプションに関し、図５を参照して、複数のサブオプションが存在する。
【００４６】
（ｉ）高電力レールのための夫々の電力レール線３０（図中、“＋”を付されている。）は、０と＋状態（及び調光のための間にある状態）との間で切り替えられ得る。これは、２つの行が減光又はオフ状態へ一度に切り替えられ得ることを意味する。
【００４７】
（ｉｉ）全ての電力レール線３０及び３２は、０と＋状態（及び調光のための間にある状態）との間で切り替えられ得る。これは、個々の行が、上記（ｉ）の２行制御に加えて、オン又は減光され得ることを意味する。
【００４８】
また、異なる色を有して夫々の行（又は行のグループ）を発光させることが可能である。
【００４９】
図５は、１つの色のＬＥＤの奇数行（図中、灰色で示される。）と、他の色のＬＥＤの偶数行（図中、白色で示される。）とを示す。
【００５０】
例えば、偶数行は暖白色を発することができ、奇数行は冷白色を発することができる。行ごとのアドレッシングによれば、マトリクス全体は、暖白色と冷白色との間にある如何なる色も有する平均光で放射するよう制御され得る。動的パターンがまた、（電力レール線の構造に依存して）行又は列方向に沿って作られ得る。
【００５１】
本発明は、例えばオフィス照明のような多くの用途のための断面積ＬＥＤ配列において適用され得る。
【００５２】
ＬＥＤは既知の設計であってよく、このためそれらは、詳細には記載されていない。それらは、配線接続が行われ得る個別パッケージ部品を有する。配線及びＬＥＤのマトリクスは、透明な膜においてカプセル化され得る。
【００５３】
配線及びＬＥＤのマトリクスはまた、キャンバス又はカーペットのようなフレキシブル基板に積層され得る。配線は、布地に織り込まれる導線であってよい。
【００５４】
示される例では、２つの電圧レールは、“＋”及び“−”又は“＋”又は“０”として示されている。必要とされるのは、ＬＥＤに適切にバイアスをかけるために電圧差のみである。よって、実際の電圧は無関係であり、それらは両方とも正であっても、あるいは両方とも負であってもよい。
【００５５】
上述されたように、電力レール線は、マトリクスの領域にわたって分布する。
【００５６】
図３の例では、電力レール線は、行方向において２つの電圧を交互に繰り返し、電力レール線は、本質的に、列方向において走る。よって、左から右へ（すなわち、行方向において）、均等に間隔をあけられた、極性が交互する電力レール線が存在する。交差を回避するよう、１つの極性の電力レール線は、電圧レール線の一方へ接続するよう上に伸び、他の極性の電力レール線は、電圧レール線の他方へ接続するよう下に伸びる。
【００５７】
図５の例では、電力レール線は、列方向において２つの電圧を交互に繰り返し、電力レール線は、本質的に、行方向において走る。よって、上から下へ（すなわち、列方向において）、均等に間隔をあけられた、極性が交互する電力レール線が存在する。
【００５８】
概して、電力レール線は、マトリクス領域にわたって略一様に分布する。「略一様に」とは、「縁部の影響が無視される場合に一様に」を意味する。これは、マトリクスがサイズを小さくされ得ることを意味する。図３及び図５の設計は夫々、列及び行の方向においてサイズを小さくされ得る。
【００５９】
図面に示される夫々のＬＥＤ１４は、一以上のＬＥＤのＬＥＤパッケージであってよい。
【００６０】
上述されたように、本発明は、最低限で、ただ３つの電力レール線を使用することができる。しかし、望ましくは少なくとも４つの電力レール線、より望ましくは１０又はそれ以上、例えば２０よりも多い電力レール線が存在する。電力レール線が多ければ多いほど、マトリクスのサイズを調整する能力は高まる。
【００６１】
開示される実施形態に対する他の変形例は、図面、本開示、及び添付の特許請求の範囲の検討から、請求される発明を実施する際に当業者によって理解され達成され得る。特許請求の範囲において、語「有する（comprising）」は、他の要素又はステップを除外せず、不定冠詞「１つの（a又はan）」は、複数個を除外しない。特定の手段が相互に異なる従属請求項において挙げられているという単なる事実は、それらの手段の組み合わせが有利に使用され得ないことを示すわけではない。特許請求の範囲における如何なる符号も、適用範囲を制限するよう解釈されるべきではない。
【図１】
2014529865.tif 000003
【図２】
2014529865.tif 000004
【図３】
2014529865.tif 000005
【図４】
2014529865.tif 000006
【図５】
2014529865.tif 000007
【図６】
2014529865.tif 000008
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
マトリクスにおいて配置されるＬＥＤ又はＬＥＤパッケージの配列を有し、
夫々のＬＥＤ又はＬＥＤパッケージは、配線を接続することで前記マトリクス内で接続され、前記マトリクスは、当該マトリクスの領域にわたって分布する少なくとも３つの電力レール線へ接続される電圧レールへ接続され、
前記ＬＥＤ又はＬＥＤパッケージは、
第１の電力レール線と第２の隣接する電力レール線との間の第１のＬＥＤ配置、及び
前記第１の電力レール線と同じ電位を有するよう構成される第３の電力レール線と前記第２の電力レール線との間の第２のＬＥＤ配置
として形成され、
前記第３の電力レール線は前記第２の電力レール線に隣接し、前記第１の電力レール線に対して前記第２の電力レール線の反対の側にあり、
前記第１及び第２のＬＥＤ配置は、直列に接続される複数のＬＥＤバンクを有し、夫々のＬＥＤバンクは、並列な複数のＬＥＤを有する、
ＬＥＤ回路。
【請求項２】
前記第１及び第２のＬＥＤ配置は、それらのアノードが高電圧電力レール線へ接続され、それらのカソードが低電圧電力レール線へ接続される、
請求項１に記載のＬＥＤ回路。
【請求項３】
３よりも多いＮ個の複数の電力レール線と、該電力レール線の隣接する対の間に夫々あるＮ−１個の複数のＬＥＤ配置とを有し、
前記電力レール線の隣接する対は、１つの高電圧電力レール線と、１つの低電圧電力レール線とを有する、
請求項１に記載のＬＥＤ回路。
【請求項４】
夫々のＬＥＤバンクは、並列に２又はそれ以上のＬＥＤを有する、
請求項１に記載のＬＥＤ回路。
【請求項５】
前記第１、第２及び第３の電力レール線の夫々は、高電圧線及び低電圧線の一方へ接続される、
請求項１に記載のＬＥＤ回路。
【請求項６】
電力レール線の夫々の隣接する対の間に設けられるスイッチング配置
を更に有する請求項１に記載のＬＥＤ回路。
【請求項７】
前記マトリクスへ接続される第１及び第２の電圧線を有する電源を更に有し、
前記第１及び第２の電圧線の１つは、前記第１、第２及び第３の電力レール線の夫々へ接続される、
請求項１に記載のＬＥＤ回路。
【請求項８】
前記第１、第２及び第３の電力レール線の夫々は、高電圧電力レール線又は低電圧電力レール線のいずれかを有し、
別個の電圧源が、前記高電圧電力レール線の夫々へ接続され、及び／又は別個の電圧源が、前記低電圧電力レール線の夫々へ接続される、
請求項１に記載のＬＥＤ回路。
【請求項９】
前記別個の電源の夫々は、個々に制御可能な出力電流を有する、
請求項８に記載のＬＥＤ回路。
【請求項１０】
夫々の電力レール線は、電源への接続のために前記マトリクスの外に延在する、
請求項１に記載のＬＥＤ回路。
【請求項１１】
前記第１のＬＥＤ配置のＬＥＤは、前記第２のＬＥＤ配置のＬＥＤと異なる出力色を有する、
請求項１に記載のＬＥＤ回路。
【請求項１２】
マトリクスにおいてＬＥＤ又はＬＥＤパッケージを接続し、夫々のＬＥＤ又はＬＥＤパッケージが、配線を接続することで前記マトリクス内で接続され、前記マトリクスが、当該マトリクスの領域にわたって分布する少なくとも３つの電力レール線へ接続される電圧レールへ接続されるようにするステップと、
前記少なくとも３つの電力レール線を制御して、第１の電力レール線と第２の隣接する電力レール線との間の第１のＬＥＤ配置を駆動し、前記第１の電力レール線と同じ電位を有するよう構成される第３の電力レール線と前記第２の電力レール線との間の第２のＬＥＤ配置を駆動するステップと
を有し、前記第３の電力レール線は前記第２の電力レール線に隣接し、前記第１の電力レール線に対して前記第２の電力レール線の反対の側にある、
ＬＥＤ回路の配置及び駆動方法。
【手続補正２】
【補正対象書類名】明細書
【補正対象項目名】００１１
【補正方法】変更
【補正の内容】
【００１１】
本発明の一態様に従って、
マトリクスにおいて配置されるＬＥＤ又はＬＥＤパッケージの配列を有し、
夫々のＬＥＤ又はＬＥＤパッケージは、配線を接続することで前記マトリクス内で接続され、前記マトリクスは、当該マトリクスの領域にわたって分布する少なくとも３つの電力レール線へ接続される電圧レールへ接続され、
前記ＬＥＤ又はＬＥＤパッケージは、
第１の電力レール線と第２の隣接する電力レール線との間の第１のＬＥＤ配置、及び
前記第１の電力レール線と同じ電位を有するよう構成される第３の電力レール線と前記第２の電力レール線との間の第２のＬＥＤ配置
として形成され、
前記第３の電力レール線は前記第２の電力レール線に隣接し、前記第１の電力レール線に対して前記第２の電力レール線の反対の側にある、
ＬＥＤ回路が提供される。
【手続補正３】
【補正対象書類名】明細書
【補正対象項目名】００１３
【補正方法】変更
【補正の内容】
【００１３】
３よりも多いＮ個の複数の電力レール線と、該電力レール線の隣接する対の間に夫々あるＮ−１個の複数のＬＥＤ配置とが存在してよく、前記電力レール線の隣接する対は、１つの高電圧電力レール線と、１つの低電圧電力レール線とを有する。このようにして、設計は二次元において拡大縮小可能である。電力レール線は第１の方向（例えば、行方向）において互い違いにされ、設計は、電力レール線の数に基づき、電力レール線の電圧を変えることなく拡大縮小され得る。
【手続補正４】
【補正対象書類名】明細書
【補正対象項目名】００２３
【補正方法】変更
【補正の内容】
【００２３】
他の態様において、本発明は、
マトリクスにおいてＬＥＤ又はＬＥＤパッケージを接続し、夫々のＬＥＤ又はＬＥＤパッケージが、配線を接続することで前記マトリクス内で接続され、前記マトリクスが、当該マトリクスの領域にわたって分布する少なくとも３つの電力レール線へ接続される電圧レールへ接続されるようにするステップと、
前記少なくとも３つの電力レール線を制御して、第１の電力レール線と第２の隣接する電力レール線との間の第１のＬＥＤ配置を駆動し、前記第１の電力レール線と同じ電位を有するよう構成される第３の電力レール線と前記第２の電力レール線との間の第２のＬＥＤ配置を駆動するステップと
を有し、前記第３の電力レール線は前記第２の電力レール線に隣接し、前記第１の電力レール線に対して前記第２の電力レール線の反対の側にある、
ＬＥＤ回路の配置及び駆動方法を提供する。
【国際調査報告】
2014529865.tif 000009
2014529865.tif 000010
2014529865.tif 000011